(57)【要約】本発明は、マルチキャリアシステムでキャリアスイッチング動作を行う端末の動作方法であって、Ｅ−ＭＢＳ（Ｅｎｈａｎｃｅｄ−Ｍｕｌｔｉｃａｓｔ  ａｎｄ  Ｂｒｏａｄｃａｓｔ  Ｓｅｒｖｉｃｅ）サービスを受信するために、基地局とＥ−ＭＢＳサービス接続設定を行う段階と、前記基地局とのＥ−ＭＢＳサービス接続状態で、受信中のＥ−ＭＢＳチャネル又は受信予定のＥ−ＭＢＳチャネルの接続情報を含むＥ−ＭＢＳ報告メッセージを前記基地局に送信する段階と、前記Ｅ−ＭＢＳ報告メッセージに対する応答としてＥ−ＭＢＳ応答メッセージを前記基地局から受信する段階と、前記Ｅ−ＭＢＳ応答メッセージに含まれるユニキャスト利用可能区間情報に基づいて、前記Ｅ−ＭＢＳサービスを受信するためのキャリアスイッチング動作を行う段階とを含む。
2013515429.tif 000002
【特許請求の範囲】
【請求項１】
マルチキャリアシステムでキャリアスイッチング動作を行う端末の動作方法であって、
基地局からＥ−ＭＢＳ（Ｅｎｈａｎｃｅｄ−Ｍｕｌｔｉｃａｓｔ  ａｎｄ  Ｂｒｏａｄｃａｓｔ  Ｓｅｒｖｉｃｅ）サービスを受信するために、前記基地局とＥ−ＭＢＳサービス接続設定を行う段階と、
接続情報を含むＥ−ＭＢＳ報告メッセージを前記基地局に送信する段階と、
前記Ｅ−ＭＢＳ報告メッセージに対する応答としてＥ−ＭＢＳ応答メッセージを前記基地局から受信する段階と、
前記Ｅ−ＭＢＳ応答メッセージに含まれるユニキャスト利用可能区間情報に基づいて、前記Ｅ−ＭＢＳサービスを受信するためのキャリアスイッチング動作を行う段階と
を含むことを特徴とする方法。
【請求項２】
前記接続情報は、Ｅ−ＭＢＳチャネルが変更された場合に前記Ｅ−ＭＢＳ報告メッセージに含まれることを特徴とする請求項１に記載の方法。
【請求項３】
前記Ｅ−ＭＢＳチャネルの変更は、前記Ｅ−ＭＢＳチャネルが前記端末のモニタしているＥ−ＭＢＳチャネル以外のチャネルに変更されることであることを特徴とする請求項２に記載の方法。
【請求項４】
受信予定の前記Ｅ−ＭＢＳチャネルの接続情報は、前記端末のモニタしているＥ−ＭＢＳチャネル以外のチャネルに変更された場合に前記Ｅ−ＭＢＳ報告メッセージに含まれることを特徴とする請求項１に記載の方法。
【請求項５】
前記接続情報は、Ｅ−ＭＢＳサービスＩＤ及びＦＩＤのリストの形で示され、Ｅ−ＭＢＳ  ＩＤ及びＦＩＤの数を示すフィールドと、前記Ｅ−ＭＢＳ  ＩＤ及びＦＩＤを示すフィールドとを含むことを特徴とする請求項１に記載の方法。
【請求項６】
前記Ｅ−ＭＢＳサービス接続設定が行われる際に、前記Ｅ−ＭＢＳサービスを受信するために主キャリアと副キャリア間のキャリアスイッチング動作を行う段階をさらに含むことを特徴とする請求項１に記載の方法。
【請求項７】
前記基地局とＥ−ＭＢＳサービス接続設定を行う段階は、
前記Ｅ−ＭＢＳサービス接続設定を要求するためのＤＳＡ（Ｄｙｎａｍｉｃ  Ｓｅｒｖｉｃｅ  Ａｄｄｉｔｉｏｎ）要求メッセージを前記基地局に送信する段階と、
前記ＤＳＡ要求メッセージに対する応答としてＤＳＡ応答メッセージを前記基地局から受信する段階と
を含むことを特徴とする請求項１に記載の方法。
【請求項８】
前記基地局とＥ−ＭＢＳサービス接続設定を行う段階は、
前記Ｅ−ＭＢＳサービス接続設定を要求するための非要求（ｕｎｓｏｌｉｃｉｔｅｄ）ＤＳＡ要求メッセージを前記基地局から受信する段階と、
前記ＤＳＡ要求メッセージに対する応答としてＤＳＡ応答メッセージを前記基地局に送信する段階と
を含むことを特徴とする請求項１に記載の方法。
【請求項９】
前記ＤＳＡ応答メッセージ又は前記非要求ＤＳＡ要求メッセージは、前記端末がＥ−ＭＢＳチャネル報告を行うべきか否かを示すキャリアスイッチングモード情報をさらに含むことを特徴とする請求項７又は８に記載の方法。
【請求項１０】
前記キャリアスイッチングモード情報は、前記基地局とのＤＳＡ過程により受信したユニキャスト利用可能区間情報に基づいてキャリアスイッチング動作を行うこと、又は前記Ｅ−ＭＢＳサービス接続情報報告に基づいてキャリアスイッチング動作を行うことを示す情報であることを特徴とする請求項９に記載の方法。
【請求項１１】
前記キャリアスイッチングモード情報が前記Ｅ−ＭＢＳサービス接続情報報告に基づいてキャリアスイッチング動作を行うことを示す場合、前記Ｅ−ＭＢＳ報告メッセージを前記基地局に送信することを特徴とする請求項１０に記載の方法。
【請求項１２】
Ｅ−ＭＢＳサービス接続情報報告インジケータを含む第１メッセージを前記基地局から受信する段階をさらに含むことを特徴とする請求項１に記載の方法。
【請求項１３】
前記Ｅ−ＭＢＳサービス接続情報報告インジケータは、前記端末が受信中のＥ−ＭＢＳチャネルが変更された場合に前記端末が前記変更されたチャネル情報を前記基地局に報告すべきか否かを示すことを特徴とする請求項１２に記載の方法。
【請求項１４】
前記第１メッセージに対する応答を前記基地局に送信する段階をさらに含むことを特徴とする請求項１２に記載の方法。
【請求項１５】
マルチキャリアシステムでキャリアスイッチング動作を行う端末であって、
基地局とＥ−ＭＢＳサービス接続設定を行い、その後接続情報を含むＥ−ＭＢＳ報告メッセージを前記基地局に送信する送信部と、
前記Ｅ−ＭＢＳ報告メッセージに対する応答としてＥ−ＭＢＳ応答メッセージを前記基地局から受信する受信部と、
前記Ｅ−ＭＢＳ応答メッセージに含まれるユニキャスト利用可能区間情報に基づいて、Ｅ−ＭＢＳサービスを受信するためのキャリアスイッチング動作を行う制御部と
を含むことを特徴とする端末。
【請求項１６】
前記制御部は、前記端末のモニタしているＥ−ＭＢＳチャネルが変更された場合、前記変更されたチャネルの接続情報を前記Ｅ−ＭＢＳ報告メッセージに含めて送信するように前記送信部を制御することを特徴とする請求項１５に記載の端末。
【請求項１７】
前記Ｅ−ＭＢＳチャネルの変更は、前記Ｅ−ＭＢＳチャネルが前記端末のモニタしているＥ−ＭＢＳチャネル以外のチャネルに変更されることであることを特徴とする請求項１６に記載の端末。
【請求項１８】
前記受信部は、前記端末がＥ−ＭＢＳチャネル報告を行うべきか否かを示すキャリアスイッチングモード情報を含むＤＳＡ応答メッセージ又は非要求ＤＳＡ要求メッセージを前記基地局から受信することを特徴とする請求項１５に記載の端末。
【請求項１９】
前記キャリアスイッチングモード情報は、前記基地局とのＤＳＡ過程により受信したユニキャスト利用可能区間情報に基づいてキャリアスイッチング動作を行うこと、又は前記Ｅ−ＭＢＳサービス接続情報報告に基づいてキャリアスイッチング動作を行うことを示す情報であることを特徴とする請求項１８に記載の端末。
【発明の詳細な説明】
【技術分野】
【０００１】
本明細書は、広帯域無線アクセスシステムのマルチキャリアモードに関し、特に、Ｅ−ＭＢＳ（Ｅｎｈａｎｃｅｄ  Ｍｕｌｔｉｃａｓｔ  Ｂｒｏａｄｃａｓｔ  Ｓｅｒｖｉｃｅ）サービスのために効率的なキャリアスイッチング動作を行うための方法及び装置に関する。
【背景技術】
【０００２】
（一般のマルチキャリアシステム）
以下に説明するマルチキャリアシステムは、少なくとも１つの個別キャリアをまとめて使用する場合を示す。図１の（ａ）及び（ｂ）はマルチバンド無線周波数（ＲＦ：Ｒａｄｉｏ  Ｆｒｅｑｕｅｎｃｙ）ベースの信号送受信方法を示す図である。
【０００３】
マルチバンド（又は、マルチキャリア）を効率的に使用するために複数のキャリア（例えば、複数の周波数割り当て帯域）を１つのＭＡＣ（Ｍｅｄｉｕｍ  Ａｃｃｅｓｓ  Ｃｏｎｔｒｏｌ）エンティティが管理する技術が提案されている。
【０００４】
図１に示すように、送信端及び受信端における１つのＭＡＣ層は、マルチキャリアを効率的に使用するために複数のキャリアを管理することができる。ここで、マルチキャリアを効果的に送受信するために、送信端及び受信端はどちらもマルチキャリアを送受信できると仮定する。１つのＭＡＣ層に管理される周波数キャリアは互いに隣接する必要がないので、リソース管理の面では柔軟である。
【０００５】
すなわち、隣接キャリアのアグリゲーション（Ｃｏｎｔｉｇｕｏｕｓ  Ａｇｇｒｅｇａｔｉｏｎ）でもよく、非隣接キャリアのアグリゲーション（Ｎｏｎ−ｃｏｎｔｉｇｕｏｕｓ  Ａｇｇｒｅｇａｔｉｏｎ）でもよい。
【０００６】
図１の（ａ）及び（ｂ）において、ＰＨＹ０、ＰＨＹ１、…、ＰＨＹｎ−２、ＰＨＹｎ−１は本技術によるマルチバンドを示し、それぞれの帯域は予め定められた周波数ポリシーに従って特定のサービスのために割り当てられた周波数帯域の大きさを有する。
【０００７】
例えば、ＰＨＹ０（ＲＦ  ｃａｒｒｉｅｒ  ０）は一般のＦＭラジオ放送のために割り当てられた周波数帯域を有し、ＰＨＹ１（ＲＦ  ｃａｒｒｉｅｒ  １）は携帯電話通信のために割り当てられた周波数帯域を有する。
【０００８】
このように、それぞれの周波数帯域はそれぞれの周波数帯域特性に応じて周波数帯域の大きさが異なるが、以下の説明では説明の便宜上、各周波数割り当て帯域はＡ［ＭＨｚ］の大きさを有すると仮定する。
【０００９】
また、それぞれの周波数割り当て帯域はベースバンド信号を各周波数帯域で利用するためのキャリア周波数に代表されるので、以下では、各周波数割り当て帯域を「キャリア周波数帯域」、又は不明瞭にならなければ各キャリア周波数帯域を代表して単に「キャリア」という。
【００１０】
また、近年、３ＧＰＰ  ＬＴＥ−Ａにおいては、マルチキャリア方式で利用されるサブキャリアと区分するために、前記キャリアを「コンポーネントキャリア」ともいう。
【００１１】
このような面から、前記「マルチバンド」方式を「マルチキャリア」方式又は「キャリアアグリゲーション」方式ともいう。
【００１２】
図１の（ａ）のようにマルチバンドで信号を送信し、図１の（ｂ）のようにマルチバンドで信号を受信するために、送信端及び受信端はどちらもマルチバンドで信号を送受信するためのＲＦモジュールを含むことが求められる。また、図１において、「ＭＡＣ」は、ダウンリンク（ＤＬ）であるかアップリンク（ＵＬ）であるかにかかわらず、基地局によりその構成方法が決定される。
【００１３】
つまり、本技術は、１つのＭＡＣエンティティ（以下、不明瞭にならなければ単に「ＭＡＣ」という）が複数の無線周波数キャリア（ＲＦ  ｃａｒｒｉｅｒ：Ｒａｄｉｏ  Ｆｒｅｑｕｅｎｃｙ）を管理／運営することにより信号を送受信する技術である。また、１つのＭＡＣで管理されるＲＦキャリアは互いに隣接する必要がない。よって、本技術においては、リソース管理の面で柔軟であるという利点がある。
【００１４】
無線通信システムの１つであるＩＥＥＥ  ８０２．１６ｍシステムにおいては、基地局の観点からキャリアタイプが大きく２つに分けられる。例えば、キャリアタイプは、完全構成キャリアタイプ（ＦＣＣＴ：Ｆｕｌｌｙ  Ｃｏｎｆｉｇｕｒｅｄ  Ｃａｒｒｉｅｒ  Ｔｙｐｅ）と部分構成キャリアタイプ（ＰＣＣＴ：Ｐａｒｔｉａｌｌｙ  Ｃｏｎｆｉｇｕｒｅｄ  Ｃａｒｒｉｅｒ  Ｔｙｐｅ）に分けられる。
【００１５】
完全構成キャリアタイプとは、全ての制御情報及びデータを送受信できるキャリアを意味し、部分構成キャリアタイプとは、ＤＬデータのみ送受信できるキャリアを意味する。ここで、部分構成キャリアはＤＬデータを主に提供するＥ−ＭＢＳなどのサービスのために使用される。
【００１６】
移動端末の観点から、割り当てられるキャリアは２つのキャリアタイプに分けられる。例えば、キャリアタイプは主キャリア（Ｐｒｉｍａｒｙ  ｃａｒｒｉｅｒ）と副キャリア（Ｓｅｃｏｎｄａｒｙ  ｃａｒｒｉｅｒ）に分けられる。ここで、移動端末は１つの主キャリア及び複数の副キャリアを基地局から割り当てられる。
【００１７】
主キャリアは完全構成キャリアから選択され、移動端末のほとんどの主要制御情報が主キャリアで送信される。副キャリアは完全構成キャリア又は部分構成キャリアから選択され、移動端末の要求や基地局の指示により追加で割り当てられる。
【００１８】
移動端末は、主キャリアで全ての制御情報のみならず副キャリアに関する制御情報までも送受信することができ、副キャリアで基地局とデータを送受信することができる。ここで、特定の移動端末に割り当てられた完全構成キャリアである副キャリアが他の移動端末の主キャリアに設定されてもよい。
【００１９】
（マルチキャリアスイッチング（Ｍｕｌｔｉｃａｒｒｉｅｒ  Ｓｗｉｔｃｈｉｎｇ））
マルチキャリアスイッチングとは、端末が主キャリアから部分構成された又は完全構成された副キャリアに物理層接続を切り替えるマルチキャリアモードをいう。ここで、端末のキャリアスイッチングは、副キャリアでＥ−ＭＢＳサービスを受信するために、基地局の指示により行われる。
【００２０】
端末は特定時間の間は副キャリアに接続され、その後主キャリアに戻る。端末が副キャリアに接続されている特定時間の間、端末は主キャリアで送信又は受信を維持する必要がない。
【００２１】
（基本マルチキャリアモード（Ｂａｓｉｃ  ＭＣ  Ｍｏｄｅ））
基本マルチキャリアモードとは、端末がただ１つのキャリアで動作するモードをいう。しかし、端末は、マルチキャリア動作に関するキャリアに対する最適化されたスキャンだけでなく、主キャリアのスイッチング過程をもサポートする。
【００２２】
（Ｅ−ＭＢＳサービスのためのキャリアスイッチング動作（Ｃａｒｒｉｅｒ  Ｓｗｉｔｃｈｉｎｇ  Ｏｐｅｒａｔｉｏｎ  ｆｏｒ  Ｅ−ＭＢＳ  Ｓｅｒｖｉｃｅ））
Ｅ−ＭＢＳサービスは、端末の主キャリアではない特定キャリア（例えば、副キャリア（Ｅ−ＭＢＳキャリア））により行われる。基地局に接続された状態において、ただ１つの送受信機を有するＥ−ＭＢＳ端末（すなわち、キャリアスイッチングモードで動作する端末）は、Ｅ−ＭＢＳデータバースト、Ｅ−ＭＢＳ構成メッセージ及びＥ−ＭＢＳ  ＭＡＰを受信するために主キャリアから他のキャリアに切り替え、基地局からユニキャストサービスを受信するために前記他のキャリアから前記主キャリアに切り替える。
【００２３】
Ｅ−ＭＢＳ端末は、ＤＳＡ（Ｄｙｎａｍｉｃ  Ｓｅｒｖｉｃｅ  Ａｄｄｉｔｉｏｎ）過程の間、基地局から前記端末に割り当てられた端末のＥ−ＭＢＳ加入情報に基づいてキャリアスイッチング動作を行う。前記Ｅ−ＭＢＳ加入情報は、例えばＭＳＴＩＤｓ及びＦＩＤｓである。
【００２４】
実際のＥ−ＭＢＳ環境においては、基本（デフォルト）Ｅ−ＭＢＳチャネルはＥ−ＭＢＳサービスに加入している全ての端末に割り当てられ、基本Ｅ−ＭＢＳチャネルの数は特別Ｅ−ＭＢＳチャネル（プレミアムチャネル）の数よりはるかに多い。
【００２５】
・全てのＥ−ＭＢＳ端末は、基本的に無料チャネルで全てのデフォルトコンテンツに加入する。
【００２６】
・さらに、一部のプレミアムユーザはプレミアムコンテンツに加入することができる。
【００２７】
すなわち、プレミアムコンテンツに加入しているＥ−ＭＢＳ端末は、デフォルトコンテンツにのみ加入している端末よりも長くＥ−ＭＢＳキャリアに留まることになる。
【００２８】
図２は端末の加入情報に基づいて行われるキャリアスイッチング動作を示すフローチャートである。
【００２９】
図２に示すように、端末１はデフォルトコンテンツにのみ加入しており、端末２はデフォルトコンテンツとプレミアムコンテンツ２に加入していると仮定する。
【００３０】
また、Ｅ−ＭＢＳデータバースト１及び３はデフォルトコンテンツに関するデータであり、Ｅ−ＭＢＳデータバースト２はプレミアムコンテンツ１に関するデータであり、Ｅ−ＭＢＳデータバースト４及び５はプレミアムコンテンツ２に関するデータであると仮定する。
【００３１】
図２を参照すると、端末１は基地局がＥ−ＭＢＳデータバースト２、４、５を送信する間主キャリアに留まることができ（Ｓ２０１）、端末２は基地局がＥ−ＭＢＳデータバースト２を送信する間のみ主キャリアに留まることができる（Ｓ２０２）。すなわち、基地局は最も低いユニキャストスケジューリング効率を有するプレミアムコンテンツに加入している端末にユニキャストリソースを割り当てる。
【００３２】
無料Ｅ−ＭＢＳサービスの間は、端末は上位層で接続（ｊｏｉｎｉｎｇ）／解除（ｌｅａｖｉｎｇ）過程を行う必要がない。すなわち、この場合、Ｅ−ＭＢＳ端末がＥ−ＭＢＳサービス受信を開始又は終了する際、ＤＳＡ／ＤＳＤ（Ｄｙｎａｍｉｃ  Ｓｅｒｖｉｃｅ  Ｄｅｌｅｔｉｏｎ）過程を行わない。しかし、キャリアスイッチングモードにおいて、基地局は、効率的なユニキャストスケジューリングのために、端末が現在Ｅ−ＭＢＳサービスを受信しているか否かを知らなければならない。もし、端末が現在Ｅ−ＭＢＳサービスを受信していなければ、基地局はいつでも主キャリアで端末にユニキャストサービスを提供することができる。
【発明の概要】
【課題を解決するための手段】
【００３３】
本発明の目的は、マルチキャリアシステムにおいてＥ−ＭＢＳサービスを受信するために、端末がＥ−ＭＢＳチャネルの接続情報を報告することを示すことにより効率的なキャリアスイッチング動作を行うための方法及び装置を提供することにある。
【００３４】
本発明の他の目的は、Ｅ−ＭＢＳチャネルの接続情報を報告するか否かをキャリアスイッチング動作を行う端末に示すための方法を提供することにある。
【００３５】
これら及び他の利点を実現して上記本発明の目的を達成するために、本明細書に具体化されかつ広く記載されているように、本発明は、マルチキャリアシステムでキャリアスイッチング動作を行う端末の動作方法を提供し、前記方法は、Ｅ−ＭＢＳサービスを受信するために、基地局とＥ−ＭＢＳサービス接続設定を行う段階と、前記基地局とのＥ−ＭＢＳサービス接続状態で、受信中のＥ−ＭＢＳチャネル又は受信予定のＥ−ＭＢＳチャネルの接続情報を含むＥ−ＭＢＳ報告メッセージを前記基地局に送信する段階と、前記Ｅ−ＭＢＳ報告メッセージに対する応答としてＥ−ＭＢＳ応答メッセージを前記基地局から受信する段階と、前記Ｅ−ＭＢＳ応答メッセージに含まれるユニキャスト利用可能区間（ｕｎｉｃａｓｔ  ａｖａｉｌａｂｌｅ  ｉｎｔｅｒｖａｌ）情報に基づいて、前記Ｅ−ＭＢＳサービスを受信するためのキャリアスイッチング動作を行う段階とを含む。
【００３６】
前記接続情報は、Ｅ−ＭＢＳチャネルが変更された場合に前記Ｅ−ＭＢＳ報告メッセージに含まれて送信されてもよい。
【００３７】
前記Ｅ−ＭＢＳチャネルの変更は、前記Ｅ−ＭＢＳチャネルが前記端末のモニタしているＥ−ＭＢＳチャネル以外のチャネルに変更されることでもよい。
【００３８】
前記受信予定のＥ−ＭＢＳチャネルの接続情報は、前記端末のモニタしているＥ−ＭＢＳチャネル以外のチャネルに変更された場合に前記Ｅ−ＭＢＳ報告メッセージに含まれてもよい。
【００３９】
前記接続情報は、Ｅ−ＭＢＳサービスＩＤ及びＦＩＤのリストの形で示されてもよく、前記接続情報は、Ｅ−ＭＢＳ  ＩＤ及びＦＩＤの数を示すフィールドと、前記Ｅ−ＭＢＳ  ＩＤ及びＦＩＤを示すフィールドとを含んでもよい。
【００４０】
前記Ｅ−ＭＢＳサービス接続状態は、Ｅ−ＭＢＳサービスを受信するために主キャリアと副キャリア間のキャリアスイッチング動作を行うキャリアスイッチングモードでもよい。
【００４１】
前記基地局から受信したＤＳＡ応答メッセージ又は非要求（ｕｎｓｏｌｉｃｉｔｅｄ）ＤＳＡ要求メッセージは、前記端末がＥ−ＭＢＳチャネル報告を行うべきか否かを示すキャリアスイッチングモード情報をさらに含んでもよい。
【００４２】
前記キャリアスイッチングモード情報は、前記基地局とのＤＳＡ過程により受信したユニキャスト利用可能区間情報に基づいてキャリアスイッチング動作を行うこと、又は前記Ｅ−ＭＢＳサービス接続情報報告に基づいてキャリアスイッチング動作を行うことを示す情報でもよい。
【００４３】
前記キャリアスイッチングモード情報が前記Ｅ−ＭＢＳサービス接続情報報告に基づいてキャリアスイッチング動作を行うことを示す場合、前記Ｅ−ＭＢＳ報告メッセージを前記基地局に送信してもよい。
【００４４】
前記方法は、Ｅ−ＭＢＳサービス接続情報報告インジケータを含む第１メッセージを前記基地局から受信する段階をさらに含んでもよい。
【００４５】
前記Ｅ−ＭＢＳサービス接続情報報告インジケータは、前記端末が受信中のＥ−ＭＢＳチャネルが変更された場合に前記端末が前記変更されたチャネル情報を前記基地局に報告すべきか否かを示してもよい。
【００４６】
前記方法は、前記第１メッセージに対する応答を前記基地局に送信する段階をさらに含んでもよい。
【００４７】
本発明は、マルチキャリアシステムでキャリアスイッチング動作を行う端末を提供し、前記端末は、基地局とＥ−ＭＢＳサービス接続設定を行い、その後受信中のＥ−ＭＢＳチャネル又は受信予定のＥ−ＭＢＳチャネルの接続情報を含むＥ−ＭＢＳ報告メッセージを前記基地局に送信する送信部と、前記Ｅ−ＭＢＳ報告メッセージに対する応答としてＥ−ＭＢＳ応答メッセージを前記基地局から受信する受信部と、前記Ｅ−ＭＢＳ応答メッセージに含まれるユニキャスト利用可能区間情報に基づいて、Ｅ−ＭＢＳサービスを受信するためのキャリアスイッチング動作を行うように制御する制御部とを含む。
【００４８】
前記制御部は、前記端末のモニタしているＥ−ＭＢＳチャネルが変更された場合、前記変更されたチャネルの接続情報を前記Ｅ−ＭＢＳ報告メッセージに含めて送信するように前記送信部を制御するようにしてもよい。
【００４９】
前記受信部は、前記端末がＥ−ＭＢＳチャネル報告を行うべきか否かを示すキャリアスイッチングモード情報を含むＤＳＡ応答メッセージ又は非要求ＤＳＡ要求メッセージを前記基地局から受信するようにしてもよい。
【発明の効果】
【００５０】
マルチキャリアシステムにおいて、キャリアスイッチングモードの端末が受信予定のＥ−ＭＢＳチャネルの接続情報を基地局に送信することにより、Ｅ−ＭＢＳチャネルが変更される毎にＥ−ＭＢＳチャネルの接続情報を基地局に報告することによるオーバーヘッドを低減することができる。
【００５１】
また、端末によるＥ−ＭＢＳチャネルの接続情報報告により、基地局が端末に効率的なユニキャストスケジューリングを提供することができる。
【図面の簡単な説明】
【００５２】
【図１Ａ】（ａ）及び（ｂ）はマルチバンド無線周波数ベースの信号送受信方法を示す図である。
【図１Ｂ】（ａ）及び（ｂ）はマルチバンド無線周波数ベースの信号送受信方法を示す図である。
【図２】端末の加入情報に基づいて行われるキャリアスイッチング動作を示すフローチャートである。
【図３】本発明の第１実施形態による端末がキャリアスイッチング動作を行うための手順を示すフローチャートである。
【図４】本発明の第２実施形態によるＥ−ＭＢＳチャネルが接続情報報告を行う手順を示すフローチャートである。
【図５】本発明の第３実施形態による端末の動作手順を示すフローチャートである。
【図６】本発明の一実施形態によるＡＡＩ＿Ｅ−ＭＢＳ−ＣＦＧを用いて基地局が端末のチャネル報告をオン又はオフにする例を示すフローチャートである。
【図７】本発明の一実施形態によるユニキャストシグナリングにより基地局が端末のチャネル報告を制御する実施形態を示すフローチャートである。
【図８】本発明の一実施形態による図７の基地局のユニキャストシグナリング送信に対する端末の応答を示すフローチャートである。
【図９】本発明の一実施形態による端末の内部ブロック図である。
【発明を実施するための形態】
【００５３】
以下、本明細書の実施形態について添付図面を参照して詳細に説明する。下記の説明では本明細書による動作を理解する上で必要な部分についてのみ説明されており、それ以外の部分についての説明は本発明の要旨を不明瞭にしないように省略されることを理解すべきである。
【００５４】
本明細書は、ＩＥＥＥ  ８０２．１６標準（以下、ＩＥＥＥ  ８０２．１６通信システムという）を用いる通信システムで緊急サービスを提供するための装置及び方法を提案する。
【００５５】
以下、例えばＩＥＥＥ  ８０２．１６通信システムで緊急サービスを提供するための装置及び方法を詳細に説明する。しかしながら、以下に詳細に説明する緊急サービスを提供するための装置及び方法は、ＩＥＥＥ  ８０２．１６通信システムだけでなく、他の通信システムにも適用することができる。
【００５６】
以下の実施形態は構成要素や特徴が所定の形態に組み合わせられたものである。各構成要素又は特徴は、特に断らない限り選択的なものであると考慮されるべきである。各構成要素又は特徴は、他の構成要素又は特徴と組み合わせられない形態で実施することができる。また、一部の構成要素及び／又は特徴を組み合わせて本発明の実施形態を構成することもできる。本発明の実施形態において、説明される動作の順序は変更することができる。一実施形態の一部の構成又は特徴は、他の実施形態に含まれてもよく、他の実施形態の対応する構成又は特徴で代替されてもよい。
【００５７】
本明細書における実施形態は、基地局と端末間のデータ送受信関係に基づいて説明されている。ここで、基地局とは、端末と直接通信を行うネットワークの終端ノードを示すものである。本明細書において基地局により行われると説明されている特定動作は、場合によっては基地局の上位ノードにより行われる。
【００５８】
すなわち、基地局を含む複数のネットワークノードからなるネットワークにおいて、端末との通信のために行われる様々な動作は基地局又は基地局以外の他のネットワークノードにより実行されることは自明である。「基地局」は、固定局、Ｎｏｄｅ  Ｂ、ｅＮｏｄｅ  Ｂ（ｅＮＢ）、アクセスポイントなどの他の用語で代替することができる。また、「端末」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）などの他の用語で代替することができる。
【００５９】
本発明の実施形態は様々な手段で実現することができる。例えば、本発明の実施形態はハードウェア、ファームウェア、ソフトウェア又はそれらの組み合わせなどにより実現することができる。
【００６０】
ハードウェアによる実現の場合、本発明の実施形態による方法は、１つ又は複数のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰ（Ｄｉｇｉｔａｌ  Ｓｉｇｎａｌ  Ｐｒｏｃｅｓｓｏｒｓ）、ＤＳＰＤ（Ｄｉｇｉｔａｌ  Ｓｉｇｎａｌ  Ｐｒｏｃｅｓｓｉｎｇ  Ｄｅｖｉｃｅｓ）、ＰＬＤ（Ｐｒｏｇｒａｍｍａｂｌｅ  Ｌｏｇｉｃ  Ｄｅｖｉｃｅｓ）、ＦＰＧＡ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどにより実現することができる。
【００６１】
ファームウェアやソフトウェアによる実現の場合、本発明の実施形態による方法は、上記機能又は動作を行うモジュール、手順、関数などの形態で実現することができる。ソフトウェアコードをメモリユニットに保存しておき、プロセッサにより駆動してもよい。前記メモリユニットは、前記プロセッサの内部又は外部に位置し、既に公知となっている様々な手段により前記プロセッサとデータをやり取りすることができる。
【００６２】
以下の説明で使用される特定用語は本明細書の理解を助けるためのものであり、これらの特定用語の使用は本発明の技術的思想を逸脱しない範囲で他の形態に変更することができる。
【００６３】
本明細書においては、端末が受信予定の（Ｅ−ＭＢＳ加入に基づいてその後に受信可能な）Ｅ−ＭＢＳチャネルの接続情報を基地局に報告することにより、基地局が端末にユニキャストサービスリソースを効率的に割り当てられるようにする方法を提供する。
【００６４】
（第１実施形態）
第１実施形態は、端末がＥ−ＭＢＳサービス加入情報に基づいて受信することになっている、すなわち今後受信予定のＥ−ＭＢＳチャネルの接続情報を基地局に報告することにより、基地局からユニキャストリソースが割り当てられてキャリアスイッチング動作を行う方法を提供する。
【００６５】
図３は本発明の第１実施形態による端末がキャリアスイッチング動作を行うための手順を示すフローチャートである。
【００６６】
端末は、基地局とＥ−ＭＢＳサービス接続設定を行うためのＤＳＡ過程を行う（Ｓ３０１）。ここで、端末は、基地局とのＤＳＡ過程を行うことにより、Ｅ−ＭＢＳサービス接続及び受信に必要な情報を交換することができる。
【００６７】
すなわち、端末は、Ｅ−ＭＢＳサービス接続設定を行うために、基地局にＤＳＡ−ＲＥＱメッセージを送信する。ここで、前記ＤＳＡ−ＲＥＱメッセージは、Ｅ−ＭＢＳ接続の設定のために基地局から端末に送信されるようにしてもよい。つまり、基地局が非要求ＤＳＡ−ＲＥＱメッセージを端末に送信するようにしてもよい。
【００６８】
前記基地局は、前記端末のＥ−ＭＢＳサービス接続要求に対する応答としてＤＳＡ−ＲＳＰメッセージを前記端末に送信する。ここで、基地局が非要求ＤＳＡ−ＲＥＱメッセージを端末に送信した場合は、前記端末がＥ−ＭＢＳサービス接続要求に対する応答としてＤＳＡ−ＲＳＰメッセージを前記基地局に送信する。
【００６９】
また、端末が受信する前記ＤＳＡ−ＲＳＰメッセージ又は非要求ＤＳＡ−ＲＥＱメッセージには、キャリアスイッチングモード情報が含まれてもよい。前記キャリアスイッチングモード情報は、ＤＳＡメッセージに含まれるユニキャスト利用可能区間に基づいたキャリアスイッチング動作、又はＥ−ＭＢＳ報告メッセージを用いるパラメータに基づいたキャリアスイッチング動作を示すようにしてもよい。
【００７０】
端末と基地局とは、前記ＤＳＡ過程で、前記ＤＳＡ−ＲＥＱメッセージ及びＤＳＡ−ＲＳＰメッセージの他にも前記ＤＳＡ過程に必要なメッセージを送受信することができる。
【００７１】
端末は、基地局とのＤＳＡ過程により、基地局からＥ−ＭＢＳサービスを受信できる状態となる。
【００７２】
すなわち、Ｅ−ＭＢＳサービスに加入している端末が基地局との接続モードにある場合、端末は、キャリアスイッチング動作を行い、基地局からＥ−ＭＢＳサービスを受信することができる。
【００７３】
次に、前記端末は、Ｅ−ＭＢＳ接続情報を含むＥ−ＭＢＳ報告メッセージを前記基地局に送信する（Ｓ３０３）。
【００７４】
ここで、端末が基地局に送信する前記Ｅ−ＭＢＳ報告メッセージは、次の３つの場合（Ｅ−ＭＢＳサービス受信の開始／変更／終了）にこれを基地局に報告するために送信される。
【００７５】
１．端末がＤＳｘトランザクション後にＥ−ＭＢＳキャリアに切り替えるために基地局からキャリアスイッチング開始時間（ｃａｒｒｉｅｒ  ｓｗｉｔｃｈｉｎｇ  ｓｔａｒｔ  ｔｉｍｅ）を要求するケース。
【００７６】
２．ＡＡＩ＿ＤＳＡ−ＲＥＱ／ＲＳＰメッセージ内のキャリアスイッチングモードが「０ｂ１」に設定されている場合、端末が現在受信中のＥ−ＭＢＳストリームに関する情報を更新するケース。
【００７７】
３．端末がＡＡＩ＿ＤＳＡ−ＲＥＱ／ＲＳＰメッセージにより割り当てられたＥ−ＭＢＳ接続を解除することなく、Ｅ−ＭＢＳキャリアスイッチング動作を終了する時間を通知するケース。
【００７８】
また、前記Ｅ−ＭＢＳ接続情報は、端末が現在受信中のＥ−ＭＢＳチャネルの接続情報（例えば、Ｅ−ＭＢＳ  ＩＤ及びＦＩＤ）と、Ｅ−ＭＢＳサービス加入に基づいて端末が今後受信できる、すなわち受信予定のＥ−ＭＢＳチャネルの接続情報の少なくとも一方を示す。つまり、前記Ｅ−ＭＢＳ接続情報は、端末が受信中のＥ−ＭＢＳサービスであるか、受信予定のＥ−ＭＢＳサービスであるかについての情報を示す。
【００７９】
前記Ｅ−ＭＢＳ接続情報は、端末がＥ−ＭＢＳサービス受信の開始、変更又は終了を通知するために送信するＥ−ＭＢＳ報告メッセージのいずれに含まれてもよい。また、前記Ｅ−ＭＢＳ接続情報は、端末がＥ−ＭＢＳサービス受信の開始を通知するために基地局に送信するＥ−ＭＢＳ報告メッセージとは別に、他の制御メッセージに含まれて送信されてもよい。
【００８０】
さらに、前記Ｅ−ＭＢＳ接続情報は、端末がＥ−ＭＢＳサービス受信の開始を通知するために基地局に送信するＥ−ＭＢＳ報告メッセージが送信されてから所定時間後に、端末のＥ−ＭＢＳチャネルの接続状態に応じてＥ−ＭＢＳ報告メッセージに含まれて送信されてもよい。
【００８１】
以下、基地局とのＥ−ＭＢＳ接続モード状態で、端末が受信中のＥ−ＭＢＳチャネルがＥ−ＭＢＳ加入に基づいて変更された場合、これを基地局に報告するために送信するＥ−ＭＢＳ報告メッセージにＥ−ＭＢＳ接続情報が含まれて送信されるケースについて具体的に説明する。
【００８２】
前記端末は、Ｅ−ＭＢＳチャネルが変更された場合（Ｓ３０２）、端末が現在受信中のＥ−ＭＢＳチャネルの変更を報告するためのＥ−ＭＢＳ報告メッセージ（ＡＡＩ＿Ｅ−ＭＢＳ−ＲＥＰメッセージ）を前記基地局に送信する（Ｓ３０３）。
【００８３】
前記Ｅ−ＭＢＳ報告メッセージはＥ−ＭＢＳチャネル接続情報を含む。この場合、端末は、Ｅ−ＭＢＳチャネルの接続情報（例えば、Ｅ−ＭＢＳ  ＩＤ及びＦＩＤ）を、Ｅ−ＭＢＳサービス加入に基づいてＥ−ＭＢＳ  ＲＥＰメッセージにより基地局に報告する。
【００８４】
ここで、前記Ｅ−ＭＢＳチャネルの接続情報は、端末が現在受信中のＥ−ＭＢＳチャネルの接続情報（例えば、Ｅ−ＭＢＳ  ＩＤ及びＦＩＤ）と、Ｅ−ＭＢＳサービス加入に基づいて端末が今後受信できるＥ−ＭＢＳチャネルの接続情報の少なくとも一方を示してもよい。
【００８５】
前記端末が現在受信中のＥ−ＭＢＳチャネルの変更としては、基地局に報告したＥ−ＭＢＳチャネルに含まれるチャネルの変更と、基地局に報告したＥ−ＭＢＳチャネルに含まれないチャネルの変更とがある。
【００８６】
ここで、基地局に報告したチャネルの接続情報に基づいて、当該情報に含まれるチャネルに変更された場合、端末は、変更されたチャネルの接続情報を基地局に別途に報告しない。
【００８７】
それに対して、基地局に報告したチャネルの接続情報に含まれない他のチャネルにチャネルが変更された場合、端末は、変更されたチャネルの接続情報を含む、今後受信するチャネルの接続情報を共に基地局に報告する。
【００８８】
前記のように、今後受信できるチャネルの接続情報を端末が現在受信中のチャネルの接続情報と共に基地局に報告する場合、チャネルが変更される毎にチャネルの接続情報を基地局に報告することによるオーバーヘッドを低減することができる。
【００８９】
すなわち、前記端末が受信予定のチャネルの接続情報をＥ−ＭＢＳ  ＲＥＰメッセージに含めて基地局に送信するか否かは、基地局に報告したチャネルの接続情報に含まれない他のチャネルにチャネルを変更するか否かによって決定される。
【００９０】
例えば、端末と基地局とのＤＳＡ過程により、端末にＥ−ＭＢＳに関するチャネル情報が１〜３６まで割り当てられたとする。
【００９１】
前記端末は、前記基地局から割り当てられたチャネルを、チャネル情報報告のための２つのグループ（例えば、チャネル１〜１６のグループ１、チャネル１７〜３６のグループ２）にグループ化することができる。
【００９２】
この場合、端末がグループ１のチャネルをモニタしていてグループ１のチャネル接続情報を基地局に報告した後、変更されたチャネルがグループ１に属する場合、端末は変更されたチャネル情報を基地局に別途に報告しない。
【００９３】
それに対して、前記変更されたチャネルがグループ２に属する場合（例えば、チャネル１４からチャネル１８への変更）、端末はグループ２に属するチャネルの接続情報を基地局に報告する。
【００９４】
表１は、端末が現在受信中のチャネル情報及び受信予定のチャネル情報に関するＥ−ＭＢＳ接続情報を基地局に報告するために用いられるＡＡＩ＿Ｅ−ＭＢＳ−ＲＥＰメッセージフォーマットの一例を示す表である。
【００９５】
【表１】
2013515429.tif 000003
表１を参照すると、Ｅ−ＭＢＳ接続情報は、端末が受信予定のＥ−ＭＢＳサービスを示す。すなわち、端末は、現在受信中のＥ−ＭＢＳチャネルが変更された場合、現在受信中のＥ−ＭＢＳチャネルの接続情報及び今後（近い未来に）受信予定のＥ−ＭＢＳチャネルの接続情報を含むＥ−ＭＢＳ  ＲＥＰメッセージを基地局に送信する。端末が今後受信予定のＥ−ＭＢＳチャネルの接続情報は、端末のＥ−ＭＢＳサービス加入に基づいて知ることができる。
【００９６】
また、前記Ｅ−ＭＢＳ  ＲＥＰメッセージに含まれるＥ−ＭＢＳ接続情報は、Ｅ−ＭＢＳ  ＩＤ及びＦＩＤのリスト又はビットマップの形で示されてもよい。
【００９７】
表２は、Ｅ−ＭＢＳ接続情報がＥ−ＭＢＳ  ＩＤ及びＦＩＤのリストの形で示されるＡＡＩ＿Ｅ−ＭＢＳ−ＲＥＰメッセージフォーマットの一例を示す表である。
【００９８】
【表２】
2013515429.tif 000004
表２を参照すると、Ｅ−ＭＢＳ接続情報は、Ｅ−ＭＢＳ  ＲＥＰメッセージが端末のＥ−ＭＢＳチャネルが変更されたことを報告するためのものである場合（例えば、報告モード（ｒｅｐｏｒｔ  ｍｏｄｅ）が「０ｂ０１」に設定されている場合）に含まれることが分かる。Ｅ−ＭＢＳ接続情報を基地局に報告するために、Ｅ−ＭＢＳ  ＲＥＰメッセージは、Ｅ−ＭＢＳ  ＩＤ及びＦＩＤの数を示すフィールド、Ｅ−ＭＢＳ  ＩＤ及びＦＩＤの数が１つ以上の場合に端末が受信予定のＥ−ＭＢＳサービスを示すフィールド、及び各Ｅ−ＭＢＳチャネル接続のＩＤ及びＦＩＤを示すフィールドをさらに含む。
【００９９】
すなわち、端末は、基地局に報告するＥ−ＭＢＳ  ＩＤ及びＦＩＤをＥ−ＭＢＳ  ＲＥＰメッセージに含めて基地局に送信することができる。
【０１００】
表３は、Ｅ−ＭＢＳ接続情報がビットマップの形で示されるＡＡＩ＿Ｅ−ＭＢＳ−ＲＥＰメッセージフォーマットの一例を示す表である。
【０１０１】
【表３】
2013515429.tif 000005
表３を参照すると、端末は、基地局に報告するＥ−ＭＢＳ接続情報をビットマップの形でＥ−ＭＢＳ  ＲＥＰメッセージに含めて基地局に送信することができる。ここで、各ビットは、基地局により端末に割り当てられたＥ−ＭＢＳ接続を示す。
【０１０２】
次に、前記端末は、前記送信したＥ−ＭＢＳ報告メッセージに対する応答としてＥ−ＭＢＳ応答メッセージ（ＡＡＩ＿Ｅ−ＭＢＳ−ＲＳＰメッセージ）を前記基地局から受信する（Ｓ３０４）。前記Ｅ−ＭＢＳ応答メッセージはユニキャスト利用可能区間情報を含む。
【０１０３】
ここで、前記ユニキャスト利用可能区間情報とは、端末がキャリアスイッチング動作中に主キャリアで基地局からユニキャストサービスを受信できる区間に関する情報をいう。
【０１０４】
すなわち、基地局は、端末が受信予定のＥ−ＭＢＳ接続情報を含むＥ−ＭＢＳ  ＲＥＰメッセージを端末から受信すると、端末から受信したＥ−ＭＢＳ接続情報に基づいて、ユニキャストスケジューリングのために端末に用いられる時間区間を示すユニキャスト利用可能区間情報をＡＡＩ＿Ｅ−ＭＢＳ−ＲＳＰメッセージに含めて端末に送信する。
【０１０５】
前記ユニキャスト利用可能区間の間、端末は、主キャリアで基地局からユニキャストサービスを受信することができ、基地局は、主キャリアで端末にｎｏｎ−Ｅ−ＭＢＳデータ、すなわちユニキャストデータを送信することができる。
【０１０６】
基地局がＡＡＩ＿Ｅ−ＭＢＳ−ＲＳＰメッセージにより端末に割り当てるユニキャスト利用可能区間情報は、表４のように各区間の開始と終了を示すようにしてもよい。
【０１０７】
表４は、ユニキャスト利用可能区間情報を含むＥ−ＭＢＳ  ＲＳＰメッセージフォーマットの一例を示す表である。
【０１０８】
【表４】
2013515429.tif 000006
表４を参照すると、ユニキャスト利用可能区間情報は、ユニキャスト利用可能区間の数フィールド、ユニキャスト利用可能区間の開始フィールド、ユニキャスト利用可能区間の終了フィールドを含む。
【０１０９】
表５は、ユニキャスト利用可能区間情報がビットマップの形で示されるＥ−ＭＢＳ  ＲＳＰメッセージフォーマットの一例を示す表である。
【０１１０】
【表５】
2013515429.tif 000007
表５に示すように、基地局がＡＡＩ＿Ｅ−ＭＢＳ−ＲＳＰメッセージにより端末に割り当てるユニキャスト利用可能区間情報はビットマップの形で示すことができる。
【０１１１】
端末は、基地局から受信したユニキャスト利用可能区間情報に基づいて、Ｅ−ＭＢＳサービスを受信するために主キャリアと副キャリア間のキャリアスイッチング動作を行う。
【０１１２】
ここで、端末は、Ｅ−ＭＢＳサービス受信中にＥ−ＭＢＳ接続ビットマップを基地局に送る必要がある場合、Ｅ−ＭＢＳサービス受信の開始を通知するために、Ｅ−ＭＢＳ  ＲＥＰメッセージ内の報告モードを「０ｂ００」に設定せず、「０ｂ０１」に設定して基地局に送信する。
【０１１３】
基地局は、報告モードが「０ｂ０１」に設定されたＡＡＩ＿Ｅ−ＭＢＳ−ＲＥＰメッセージを端末から受信した場合、前記端末のキャリアスイッチングモードがオフになっていれば、前記端末のキャリアスイッチングモードの開始を前記端末に通知する。
【０１１４】
この場合、基地局は、キャリアスイッチング開始時間をＡＡＩ＿Ｅ−ＭＢＳ−ＲＳＰメッセージにより端末に送信し、ユニキャスト利用可能区間情報もＡＡＩ＿Ｅ−ＭＢＳ−ＲＳＰメッセージにより端末に送信する。
【０１１５】
（第２実施形態）
第２実施形態は、基地局がＥ−ＭＢＳサービス加入情報に基づいて、ＤＳｘ過程により、キャリアスイッチングモードの端末がＥ−ＭＢＳチャネルの接続情報を報告できるか否かを決定する方法を提供する。
【０１１６】
図４は本発明の第２実施形態によるＥ−ＭＢＳチャネルが接続情報報告を行う手順を示すフローチャートである。
【０１１７】
すなわち、第２実施形態によると、基地局がＤＳＡ過程によりＥ−ＭＢＳチャネルの接続情報を端末に割り当てる際に、キャリアスイッチングモードの端末が接続モードでＥ−ＭＢＳに加入しているため、Ｅ−ＭＢＳチャネルが変更された場合にこれを報告できるか否かを通知することができる。
【０１１８】
例えば、１つの端末が１つ又は２つのＥ−ＭＢＳチャネルに加入している場合、基地局は端末のＥ−ＭＢＳチャネル報告がなくても端末のユニキャストスケジューリングを適切に行うことができる。
【０１１９】
すなわち、端末は、基地局とのＤＳＡ過程で、基地局から送信される非要求ＤＳＡ−ＲＥＱメッセージ又はＤＳＡ−ＲＳＰメッセージに含まれるキャリアスイッチングモード情報に基づいて、基地局にチャネル報告を行うか否かを決定し、キャリアスイッチング動作を行うことができる。
【０１２０】
以下、前記キャリアスイッチングモード情報が含まれるＤＳＡ−ＲＥＱ／ＲＳＰメッセージを送信する過程について説明する（Ｓ４０１）。
【０１２１】
ステップＳ４０１以降のステップＳ４０２〜Ｓ４０４はステップＳ３０２〜Ｓ３０４と同様であるので省略する。
【０１２２】
まず、前記端末は、Ｅ−ＭＢＳサービス接続設定を行うために、前記基地局にＤＳＡ−ＲＥＱメッセージを送信する。ここで、前記ＤＳＡ−ＲＥＱメッセージは、Ｅ−ＭＢＳ接続の設定のために基地局から端末に送信されるようにしてもよい。つまり、基地局が非要求ＤＳＡ−ＲＥＱメッセージを端末に送信するようにしてもよい。
【０１２３】
その後、前記基地局は、前記端末のＥ−ＭＢＳサービス接続要求に対する応答としてＤＳＡ−ＲＳＰメッセージを前記端末に送信する。
【０１２４】
ここで、基地局が非要求ＤＳＡ−ＲＥＱメッセージを端末に送信した場合は、前記端末がＥ−ＭＢＳサービス接続要求に対する応答としてＤＳＡ−ＲＳＰメッセージを前記基地局に送信する。
【０１２５】
また、端末が送信もしくは受信する（又は、基地局が受信もしくは送信する）前記ＤＳＡ−ＲＳＰメッセージ又は非要求ＤＳＡ−ＲＥＱメッセージには、キャリアスイッチングモード情報が含まれてもよい。
【０１２６】
前記キャリアスイッチングモード情報は、ＤＳＡメッセージ（非要求ＤＳＡ−ＲＥＱ／ＤＳＡ−ＲＳＰメッセージ）に含まれるユニキャスト利用可能区間に基づいたキャリアスイッチング、又はＥ−ＭＢＳ  ＲＥＰメッセージを用いるパラメータに基づいたキャリアスイッチングを示す。
【０１２７】
また、端末と基地局とは、前記ＤＳＡ過程で、前記ＤＳＡ−ＲＥＱメッセージ及びＤＳＡ−ＲＳＰメッセージの他にも前記ＤＳＡ過程に必要なメッセージを送受信することができる。
【０１２８】
表６は、キャリアスイッチングモード情報を含むＤＳＡ−ＲＥＱ（非要求ＤＳＡ−ＲＥＱ）／ＲＳＰメッセージフォーマットの一例を示す表である。
【０１２９】
【表６】
2013515429.tif 000008
表６を参照すると、一例として、ＤＳＡ−ＲＥＱ／ＲＳＰメッセージに含まれるキャリアスイッチングモードが「０ｂ０」の場合、端末は、Ｅ−ＭＢＳ接続情報を基地局に報告しなくても、キャリアスイッチング動作を行い、基地局からユニキャストリソースを受信することができる。つまり、基地局は、端末からＥ−ＭＢＳ接続情報を受信していない場合（すなわち、変更されたＥ−ＭＢＳチャネルが少ない場合）も、端末が効率的なキャリアスイッチング動作を行うようにユニキャストリソースをスケジューリングすることができる。このとき、基地局は端末にユニキャスト利用可能区間を割り当てる。
【０１３０】
また、キャリアスイッチングモードが「０ｂ１」の場合、端末は、ＡＡＩ＿Ｅ−ＭＢＳ−ＲＥＰメッセージを基地局に送信し、現在受信中のチャネル情報及び今後受信予定のチャネル情報を基地局に報告する。
【０１３１】
前記基地局は、前記Ｅ−ＭＢＳチャネル接続情報に基づいて、ＡＡＩ＿Ｅ−ＭＢＳ−ＲＳＰメッセージによりユニキャスト利用可能区間を前記端末に割り当て、前記端末は、前記割り当てられたユニキャスト利用可能区間情報に基づいて、キャリアスイッチング動作を行う。
【０１３２】
（第３実施形態）
第３実施形態は、ＤＳｘ（例えば、ＤＳＡ）メッセージによりキャリアスイッチングモードを選択することなく、すなわちＤＳＡ−ＲＥＱ／ＲＳＰメッセージにキャリアスイッチングモード情報を含めることなく、基地局が状況に応じて選択的に端末が変更されたＥ−ＭＢＳ接続情報を報告すべきか否かを端末に指示する方法を提供する。
【０１３３】
図５は本発明の第３実施形態による端末の動作手順を示すフローチャートである。
【０１３４】
まず、端末は、Ｅ−ＭＢＳサービス接続情報報告インジケータを含む第１メッセージを基地局から受信する（Ｓ５０１）。ここで、前記第１メッセージは、ブロードキャストメッセージでもよく、ユニキャストメッセージでもよい。
【０１３５】
前記第１メッセージがブロードキャストメッセージの場合、前記第１メッセージはＥ−ＭＢＳ−ＣＦＧメッセージ又はＳＣＤ（Ｓｙｓｔｅｍ  Ｃｏｎｆｉｇｕｒａｔｉｏｎ  Ｄｅｓｃｒｉｐｔｏｒ）メッセージでもよい。
【０１３６】
また、前記第１メッセージがユニキャストメッセージの場合、前記第１メッセージはＡＡＩ＿ＥＣＩ−ＣＭＤメッセージでもよい。
【０１３７】
また、前記Ｅ−ＭＢＳサービス接続情報報告インジケータは、端末のモニタしているＥ−ＭＢＳチャネルが変更された場合にその変更された情報を基地局に報告すべきか否かを示す情報を示す。
【０１３８】
さらに、前記端末は、前記基地局が送信した第１メッセージに対する受信確認を示す応答を前記基地局に送信してもよい。
【０１３９】
次に、前記端末は、Ｅ−ＭＢＳチャネルが変更された場合（Ｓ５０２）、前記第１メッセージに含まれるＥ−ＭＢＳサービス接続情報報告インジケータを確認し、前記変更されたＥ−ＭＢＳチャネルの接続情報を前記基地局に送信するか否かを決定する（Ｓ５０３）。
【０１４０】
一例として、前記Ｅ−ＭＢＳサービス接続情報報告インジケータが「１」に設定されている場合、前記端末は、前記変更されたＥ−ＭＢＳチャネルの接続情報を前記基地局に報告する（Ｓ５０４）。この場合、前記基地局は、前記端末から送信された接続情報に基づいて、前記端末のユニキャストスケジューリングを行い、ユニキャストリソースを前記端末に送信する（Ｓ５０５）。
【０１４１】
また、前記Ｅ−ＭＢＳサービス接続情報報告インジケータが「０」に設定されている場合、前記端末は、前記変更されたＥ−ＭＢＳチャネルの接続情報を前記基地局に報告しない。この場合、前記基地局は、Ｅ−ＭＢＳ加入情報に基づいて、ユニキャストスケジューリングされたユニキャストリソースを前記端末に送信する（Ｓ５０５）。
【０１４２】
（ブロードキャストメッセージによる指示）
図６は本発明の一実施形態によるＡＡＩ＿Ｅ−ＭＢＳ−ＣＦＧを用いて基地局が端末のチャネル報告をオン又はオフにする例を示すフローチャートである。
【０１４３】
まず、Ｅ−ＭＢＳサービスを受信する端末のユニキャストスケジューリングなどの理由により、基地局が変更されたチャネル情報を端末から受信する必要があると判断した場合、前記基地局は、ブロードキャストメッセージ（例えば、ＡＡＩ＿Ｅ−ＭＢＳ−ＣＦＧ）に含まれるＥＣＩ（Ｅ−ＭＢＳ  Ｃｏｎｎｅｃｔｉｏｎ  Ｉｎｆｏｒｍａｔｉｏｎ）報告インジケータを例えば「１」に設定して端末に送信する（Ｓ６０１）。
【０１４４】
前記端末は、前記基地局からのＡＡＩ＿Ｅ−ＭＢＳ−ＣＦＧメッセージのＥＣＩ報告インジケータが「１」に設定されている場合、前記端末自身が実際にモニタしているＥ−ＭＢＳ接続情報が変更されると（Ｓ６０２）、変更されたチャネルの接続情報を前記基地局に報告する（Ｓ６０３）。
【０１４５】
前記基地局は、前記変更されたチャネルの接続情報を前記端末から受信すると、前記変更されたチャネルの接続情報に基づいて、前記端末にユニキャストリソースを割り当てる（Ｓ６０４）。
【０１４６】
それに対して、基地局が変更されたチャネル情報を端末から受信する必要がないと判断した場合、前記基地局は、ブロードキャストメッセージ（例えば、ＡＡＩ＿Ｅ−ＭＢＳ−ＣＦＧ）に含まれるＥＣＩ報告インジケータを例えば「０」に設定する（Ｓ６０５）。
【０１４７】
前記端末は、前記ＥＣＩ報告インジケータが「０」に設定されたＡＡＩ＿Ｅ−ＭＢＳ−ＣＦＧを受信した場合、前記端末のチャネル情報が変更されても（Ｓ６０６）、前記基地局にＥ−ＭＢＳ接続情報を送信しない（Ｓ６０７）。
【０１４８】
この場合、前記基地局は、前記端末のＥ−ＭＢＳ加入情報に基づいて、前記端末にユニキャストリソースを割り当てる（Ｓ６０８）。
【０１４９】
ここで、前記基地局によりブロードキャストメッセージに含まれて送信される前記ＥＣＩ報告インジケータは、ＡＡＩ＿Ｅ−ＭＢＳ−ＣＦＧメッセージに加えて、ＳＣＤメッセージや他のブロードキャストメッセージ（新しいブロードキャストメッセージ）に含めて送信してもよい。
【０１５０】
表７は、Ｅ−ＭＢＳ  ＣＦＧメッセージフォーマットの一例を示す表である。
【０１５１】
【表７】
2013515429.tif 000009
表８は、ＡＡＩ＿ＳＣＤメッセージフォーマットの一例を示す表である。
【０１５２】
【表８】
2013515429.tif 000010
ここで、ブロードキャストメッセージにより前記端末がチャネル変更報告をオン又はオフにした場合、前記端末は、セル又はＥ−ＭＢＳゾーン内にあるＥ−ＭＢＳサービスを受信する全ての端末のチャネル情報が等しく変更されたとき、その変更されたチャネル情報を前記基地局に報告してもよく、報告しなくてもよい。
【０１５３】
（ユニキャストメッセージによる端末へのチャネル変更報告指示）
以下、端末毎にチャネル報告の有無をオン又はオフにする方法を説明する。
【０１５４】
図７は本発明の一実施形態によるユニキャストシグナリングにより基地局が端末のチャネル報告を制御する実施形態を示すフローチャートである。
【０１５５】
図７はブロードキャストシグナリングをユニキャストシグナリング（例えば、ＡＡＩ＿ＥＣＩ−ＣＭＤ）に変えたことを除いては図６と同様である。すなわち、Ｅ−ＭＢＳチャネル報告インジケータを含むメッセージの種類が異なることを除いては全ての手順が同様である。
【０１５６】
つまり、ステップＳ７０１及びＳ７０５において基地局がユニキャストメッセージを端末に送信することを除いて、ステップＳ７０２〜Ｓ７０４、Ｓ７０６〜Ｓ７０８はステップＳ６０２〜Ｓ６０４、Ｓ６０６〜Ｓ６０８と同様である。
【０１５７】
この場合、ユニキャストシグナリングにより基地局が端末を制御するため、端末のチャネル報告によるオーバーヘッドを低減することができる。
【０１５８】
図８は本発明の一実施形態による図７の基地局のユニキャストシグナリング送信に対する端末の応答を示すフローチャートである。
【０１５９】
ここで、ステップＳ８０１〜Ｓ８０８はステップＳ７０１〜Ｓ７０８と同様である。端末が基地局からＥＣＩ報告インジケータを含むユニキャストシグナリングを受信した場合、前記端末は、それに対する応答を前記基地局に送信する（Ｓ８０９、Ｓ８１０）。
【０１６０】
前記基地局は、前記端末がＥ−ＭＢＳ制御に関するユニキャストシグナリングを正常に受信したか否かを確認するために、前記端末に確認応答信号（ＭＡＣメッセージ確認応答メッセージ（ＭＡＣ  ｍｅｓｓａｇｅ  ａｃｋｎｏｗｌｅｄｇｅｍｅｎｔ  ｍｅｓｓａｇｅ）（ＡＡＩ＿ＭＳＧ−ＡＣＫ）、ＡＣＫ制御メッセージ（ＡＣＫ  ｃｏｎｔｒｏｌ  ｍｅｓｓａｇｅ）、メッセージＡＣＫ拡張ヘッダ（Ｍｅｓｓａｇｅ  ＡＣＫ  ｅｘｔｅｎｄｅｄ  ｈｅａｄｅｒ）など）を送信することを要求することができる。
【０１６１】
前記基地局は、ユニキャストシグナリングを送信して前記端末から確認応答信号を受信した後、前記端末がユニキャストシグナリングを正常に受信したと判断した場合、それに応じてユニキャストスケジューリングを行う。
【０１６２】
ここで、前記基地局が前記端末から確認応答信号を受信できない場合、前記基地局は、前記端末がチャネル変更報告に関するユニキャストシグナリングを正常に受信していないと判断し、迅速なＥ−ＭＢＳ制御のために再びユニキャストシグナリングを前記端末に送信する。
【０１６３】
すなわち、基地局は、Ｅ−ＭＢＳゾーンに属する各端末のＥ−ＭＢＳ加入に基づいて、特定の端末のチャネル変更報告をオン又はオフにすることができる。
【０１６４】
このために、基地局はユニキャストシグナリングにより端末にこれを示すことができる。この場合、ユニキャストシグナリングは、ユニキャストＭＡＣ制御メッセージ（ｕｎｉｃａｓｔ  ＭＡＣ  ｃｏｎｔｒｏｌ  ｍｅｓｓａｇｅ）、拡張ヘッダ、シグナリングヘッダなどを用いてもよい。
【０１６５】
また、ユニキャストシグナリングは、既に存在するメッセージやヘッダを用いてもよく、ユニキャストシグナリングのための新しいメッセージやヘッダを定義して送信してもよい。
【０１６６】
表９は、ユニキャストシグナリングにより基地局が端末毎にチャネル変更報告をオン又はオフにするためのユニキャストメッセージフォーマットの一例を示す表である。
【０１６７】
【表９】
2013515429.tif 000011
図９は本発明の一実施形態による端末の内部ブロック図である。
【０１６８】
まず、端末９００は、送信部９１０と、受信部９２０と、制御部９３０とから構成される。
【０１６９】
送信部９１０は、端末９００が基地局とＥ−ＭＢＳサービス接続設定を行った後、Ｅ−ＭＢＳサービス接続状態で、受信中のＥ−ＭＢＳチャネル又は受信予定のＥ−ＭＢＳチャネルの接続情報を含むＥ−ＭＢＳ報告メッセージを前記基地局に送信する。
【０１７０】
受信部９２０は、前記Ｅ−ＭＢＳ報告メッセージに対する応答としてＥ−ＭＢＳ応答メッセージを前記基地局から受信する。
【０１７１】
また、受信部９２０は、前記端末がＥ−ＭＢＳチャネル報告を行うべきか否かを示すキャリアスイッチングモード情報を含むＤＳＡ応答メッセージ又は非要求ＤＳＡ要求メッセージを前記基地局から受信する。
【０１７２】
ここで、前記キャリアスイッチングモード情報は、前記基地局とのＤＳＡ過程により受信したユニキャスト利用可能区間情報に基づいてキャリアスイッチング動作を行うこと、又はＥ−ＭＢＳサービス接続情報報告に基づいてキャリアスイッチング動作を行うことを示す情報である。
【０１７３】
制御部９３０は、前記基地局から受信したＥ−ＭＢＳ応答メッセージに含まれるユニキャスト利用可能区間情報に基づいて、Ｅ−ＭＢＳサービスを受信するためのキャリアスイッチング動作を行うように制御する。
【０１７４】
また、制御部９３０は、前記端末のモニタしているＥ−ＭＢＳチャネルが変更された場合、前記接続情報を前記Ｅ−ＭＢＳ報告メッセージに含めて送信するように前記送信部を制御する。ここで、前記Ｅ−ＭＢＳチャネルの変更とは、前記Ｅ−ＭＢＳチャネルが前記端末のモニタしているＥ−ＭＢＳチャネル以外のチャネルに変更されることである。
【０１７５】
さらに、制御部９３０は、前記キャリアスイッチングモード情報が前記Ｅ−ＭＢＳサービス接続情報報告に基づいてキャリアスイッチング動作を行うことを示す場合、前記Ｅ−ＭＢＳ報告メッセージを前記基地局に送信するように前記送信部を制御する。
【図１Ａ】
2013515429.tif 000012
【図１Ｂ】
2013515429.tif 000013
【図２】
2013515429.tif 000014
【図３】
2013515429.tif 000015
【図４】
2013515429.tif 000016
【図５】
2013515429.tif 000017
【図６】
2013515429.tif 000018
【図７】
2013515429.tif 000019
【図８】
2013515429.tif 000020
【図９】
2013515429.tif 000021
【手続補正書】
【提出日】平成24年6月21日(2012.6.21)
【手続補正１】
【補正対象書類名】特許請求の範囲
【補正対象項目名】全文
【補正方法】変更
【補正の内容】
【特許請求の範囲】
【請求項１】
マルチキャリアシステムでキャリアスイッチング動作を行う端末の動作方法であって、
基地局とＥ−ＭＢＳサービス接続設定を行う段階と、
接続情報を含むＥ−ＭＢＳ報告メッセージを前記基地局に送信する段階と、
前記Ｅ−ＭＢＳ報告メッセージに対する応答として前記接続情報に基づくユニキャスト利用可能区間情報を含むＥ−ＭＢＳ応答メッセージを前記基地局から受信する段階と、
前記ユニキャスト利用可能区間情報に基づいて、前記Ｅ−ＭＢＳサービスを受信するためのキャリアスイッチング動作を行う段階と
を含むことを特徴とする方法。
【請求項２】
前記接続情報は、Ｅ−ＭＢＳチャネルが変更された場合に前記Ｅ−ＭＢＳ報告メッセージに含まれることを特徴とする請求項１に記載の方法。
【請求項３】
前記Ｅ−ＭＢＳチャネルの変更は、前記Ｅ−ＭＢＳチャネルが前記端末のモニタしているＥ−ＭＢＳチャネル以外のチャネルに変更されることであることを特徴とする請求項２に記載の方法。
【請求項４】
受信予定の前記Ｅ−ＭＢＳチャネルの接続情報は、前記端末のモニタしているＥ−ＭＢＳチャネル以外のチャネルに変更された場合に前記Ｅ−ＭＢＳ報告メッセージに含まれることを特徴とする請求項１に記載の方法。
【請求項５】
前記接続情報は、Ｅ−ＭＢＳサービスＩＤ及びＦＩＤのリストの形で示され、Ｅ−ＭＢＳ  ＩＤ及びＦＩＤの数を示すフィールドと、前記Ｅ−ＭＢＳ  ＩＤ及びＦＩＤを示すフィールドとを含むことを特徴とする請求項１に記載の方法。
【請求項６】
前記Ｅ−ＭＢＳサービス接続設定が行われる際に、前記Ｅ−ＭＢＳサービスを受信するために主キャリアと副キャリア間のキャリアスイッチング動作を行う段階をさらに含むことを特徴とする請求項１に記載の方法。
【請求項７】
前記基地局とＥ−ＭＢＳサービス接続設定を行う段階は、
前記Ｅ−ＭＢＳサービス接続設定を要求するためのＤＳＡ（Ｄｙｎａｍｉｃ  Ｓｅｒｖｉｃｅ  Ａｄｄｉｔｉｏｎ）要求メッセージを前記基地局に送信する段階と、
前記ＤＳＡ要求メッセージに対する応答としてＤＳＡ応答メッセージを前記基地局から受信する段階と
を含むことを特徴とする請求項１に記載の方法。
【請求項８】
前記基地局とＥ−ＭＢＳサービス接続設定を行う段階は、
前記Ｅ−ＭＢＳサービス接続設定を要求するための非要求（ｕｎｓｏｌｉｃｉｔｅｄ）ＤＳＡ要求メッセージを前記基地局から受信する段階と、
前記ＤＳＡ要求メッセージに対する応答としてＤＳＡ応答メッセージを前記基地局に送信する段階と
を含むことを特徴とする請求項１に記載の方法。
【請求項９】
前記ＤＳＡ応答メッセージ又は前記非要求ＤＳＡ要求メッセージは、前記端末がＥ−ＭＢＳチャネル報告を行うべきか否かを示すキャリアスイッチングモード情報をさらに含むことを特徴とする請求項７又は８に記載の方法。
【請求項１０】
前記キャリアスイッチングモード情報は、前記ユニキャスト利用可能区間情報に基づいてキャリアスイッチング動作を行うこと、又は前記情報に基づいてキャリアスイッチング動作を行うことを示す情報であることを特徴とする請求項９に記載の方法。
【請求項１１】
前記キャリアスイッチングモード情報が前記Ｅ−ＭＢＳサービス接続情報報告に基づいてキャリアスイッチング動作を行うことを示す場合、前記Ｅ−ＭＢＳ報告メッセージを前記基地局に送信することを特徴とする請求項１０に記載の方法。
【請求項１２】
Ｅ−ＭＢＳサービス接続情報報告インジケータを含む第１メッセージを前記基地局から受信する段階をさらに含むことを特徴とする請求項１に記載の方法。
【請求項１３】
前記Ｅ−ＭＢＳサービス接続情報報告インジケータは、前記端末が受信中のＥ−ＭＢＳチャネルが変更された場合に前記端末が前記変更されたチャネル情報を前記基地局に報告すべきか否かを示すことを特徴とする請求項１２に記載の方法。
【請求項１４】
前記第１メッセージに対する応答を前記基地局に送信する段階をさらに含むことを特徴とする請求項１２に記載の方法。
【請求項１５】
マルチキャリアシステムでキャリアスイッチング動作を行う端末であって、
基地局とＥ−ＭＢＳサービス接続設定を行い、その後接続情報を含むＥ−ＭＢＳ報告メッセージを前記基地局に送信する送信部と、
前記Ｅ−ＭＢＳ報告メッセージに対する応答として前記接続情報に基づくユニキャスト利用可能区間情報を含むＥ−ＭＢＳ応答メッセージを前記基地局から受信する受信部と、
前記ユニキャスト利用可能区間情報に基づいて、Ｅ−ＭＢＳサービスを受信するためのキャリアスイッチング動作を行う制御部と
を含むことを特徴とする端末。
【請求項１６】
前記制御部は、前記端末のモニタしているＥ−ＭＢＳチャネルが変更された場合、前記変更されたチャネルの接続情報を前記Ｅ−ＭＢＳ報告メッセージに含めて送信するように前記送信部を制御することを特徴とする請求項１５に記載の端末。
【請求項１７】
前記Ｅ−ＭＢＳチャネルの変更は、前記Ｅ−ＭＢＳチャネルが前記端末のモニタしているＥ−ＭＢＳチャネル以外のチャネルに変更されることであることを特徴とする請求項１６に記載の端末。
【請求項１８】
前記受信部は、前記端末がＥ−ＭＢＳチャネル報告を行うべきか否かを示すキャリアスイッチングモード情報を含むＤＳＡ応答メッセージ又は非要求ＤＳＡ要求メッセージを前記基地局から受信することを特徴とする請求項１５に記載の端末。
【請求項１９】
前記キャリアスイッチングモード情報は、前記ユニキャスト利用可能区間情報に基づいてキャリアスイッチング動作を行うこと、又は前記接続情報に基づいてキャリアスイッチング動作を行うことを示す情報であることを特徴とする請求項１８に記載の端末。
【手続補正２】
【補正対象書類名】明細書
【補正対象項目名】００４９
【補正方法】変更
【補正の内容】
【００４９】
前記受信部は、前記端末がＥ−ＭＢＳチャネル報告を行うべきか否かを示すキャリアスイッチングモード情報を含むＤＳＡ応答メッセージ又は非要求ＤＳＡ要求メッセージを前記基地局から受信するようにしてもよい。
（項目１）
マルチキャリアシステムでキャリアスイッチング動作を行う端末の動作方法であって、
基地局からＥ−ＭＢＳ（Ｅｎｈａｎｃｅｄ−Ｍｕｌｔｉｃａｓｔ  ａｎｄ  Ｂｒｏａｄｃａｓｔ  Ｓｅｒｖｉｃｅ）サービスを受信するために、前記基地局とＥ−ＭＢＳサービス接続設定を行う段階と、
接続情報を含むＥ−ＭＢＳ報告メッセージを前記基地局に送信する段階と、
前記Ｅ−ＭＢＳ報告メッセージに対する応答としてＥ−ＭＢＳ応答メッセージを前記基地局から受信する段階と、
前記Ｅ−ＭＢＳ応答メッセージに含まれるユニキャスト利用可能区間情報に基づいて、前記Ｅ−ＭＢＳサービスを受信するためのキャリアスイッチング動作を行う段階と
を含むことを特徴とする方法。
（項目２）
前記接続情報は、Ｅ−ＭＢＳチャネルが変更された場合に前記Ｅ−ＭＢＳ報告メッセージに含まれることを特徴とする項目１に記載の方法。
（項目３）
前記Ｅ−ＭＢＳチャネルの変更は、前記Ｅ−ＭＢＳチャネルが前記端末のモニタしているＥ−ＭＢＳチャネル以外のチャネルに変更されることであることを特徴とする項目２に記載の方法。
（項目４）
受信予定の前記Ｅ−ＭＢＳチャネルの接続情報は、前記端末のモニタしているＥ−ＭＢＳチャネル以外のチャネルに変更された場合に前記Ｅ−ＭＢＳ報告メッセージに含まれることを特徴とする項目１に記載の方法。
（項目５）
前記接続情報は、Ｅ−ＭＢＳサービスＩＤ及びＦＩＤのリストの形で示され、Ｅ−ＭＢＳ  ＩＤ及びＦＩＤの数を示すフィールドと、前記Ｅ−ＭＢＳ  ＩＤ及びＦＩＤを示すフィールドとを含むことを特徴とする項目１に記載の方法。
（項目６）
前記Ｅ−ＭＢＳサービス接続設定が行われる際に、前記Ｅ−ＭＢＳサービスを受信するために主キャリアと副キャリア間のキャリアスイッチング動作を行う段階をさらに含むことを特徴とする項目１に記載の方法。
（項目７）
前記基地局とＥ−ＭＢＳサービス接続設定を行う段階は、
前記Ｅ−ＭＢＳサービス接続設定を要求するためのＤＳＡ（Ｄｙｎａｍｉｃ  Ｓｅｒｖｉｃｅ  Ａｄｄｉｔｉｏｎ）要求メッセージを前記基地局に送信する段階と、
前記ＤＳＡ要求メッセージに対する応答としてＤＳＡ応答メッセージを前記基地局から受信する段階と
を含むことを特徴とする項目１に記載の方法。
（項目８）
前記基地局とＥ−ＭＢＳサービス接続設定を行う段階は、
前記Ｅ−ＭＢＳサービス接続設定を要求するための非要求（ｕｎｓｏｌｉｃｉｔｅｄ）ＤＳＡ要求メッセージを前記基地局から受信する段階と、
前記ＤＳＡ要求メッセージに対する応答としてＤＳＡ応答メッセージを前記基地局に送信する段階と
を含むことを特徴とする項目１に記載の方法。
（項目９）
前記ＤＳＡ応答メッセージ又は前記非要求ＤＳＡ要求メッセージは、前記端末がＥ−ＭＢＳチャネル報告を行うべきか否かを示すキャリアスイッチングモード情報をさらに含むことを特徴とする項目７又は８に記載の方法。
（項目１０）
前記キャリアスイッチングモード情報は、前記基地局とのＤＳＡ過程により受信したユニキャスト利用可能区間情報に基づいてキャリアスイッチング動作を行うこと、又は前記Ｅ−ＭＢＳサービス接続情報報告に基づいてキャリアスイッチング動作を行うことを示す情報であることを特徴とする項目９に記載の方法。
（項目１１）
前記キャリアスイッチングモード情報が前記Ｅ−ＭＢＳサービス接続情報報告に基づいてキャリアスイッチング動作を行うことを示す場合、前記Ｅ−ＭＢＳ報告メッセージを前記基地局に送信することを特徴とする項目１０に記載の方法。
（項目１２）
Ｅ−ＭＢＳサービス接続情報報告インジケータを含む第１メッセージを前記基地局から受信する段階をさらに含むことを特徴とする項目１に記載の方法。
（項目１３）
前記Ｅ−ＭＢＳサービス接続情報報告インジケータは、前記端末が受信中のＥ−ＭＢＳチャネルが変更された場合に前記端末が前記変更されたチャネル情報を前記基地局に報告すべきか否かを示すことを特徴とする項目１２に記載の方法。
（項目１４）
前記第１メッセージに対する応答を前記基地局に送信する段階をさらに含むことを特徴とする項目１２に記載の方法。
（項目１５）
マルチキャリアシステムでキャリアスイッチング動作を行う端末であって、
基地局とＥ−ＭＢＳサービス接続設定を行い、その後接続情報を含むＥ−ＭＢＳ報告メッセージを前記基地局に送信する送信部と、
前記Ｅ−ＭＢＳ報告メッセージに対する応答としてＥ−ＭＢＳ応答メッセージを前記基地局から受信する受信部と、
前記Ｅ−ＭＢＳ応答メッセージに含まれるユニキャスト利用可能区間情報に基づいて、Ｅ−ＭＢＳサービスを受信するためのキャリアスイッチング動作を行う制御部と
を含むことを特徴とする端末。
（項目１６）
前記制御部は、前記端末のモニタしているＥ−ＭＢＳチャネルが変更された場合、前記変更されたチャネルの接続情報を前記Ｅ−ＭＢＳ報告メッセージに含めて送信するように前記送信部を制御することを特徴とする項目１５に記載の端末。
（項目１７）
前記Ｅ−ＭＢＳチャネルの変更は、前記Ｅ−ＭＢＳチャネルが前記端末のモニタしているＥ−ＭＢＳチャネル以外のチャネルに変更されることであることを特徴とする項目１６に記載の端末。
（項目１８）
前記受信部は、前記端末がＥ−ＭＢＳチャネル報告を行うべきか否かを示すキャリアスイッチングモード情報を含むＤＳＡ応答メッセージ又は非要求ＤＳＡ要求メッセージを前記基地局から受信することを特徴とする項目１５に記載の端末。
（項目１９）
前記キャリアスイッチングモード情報は、前記基地局とのＤＳＡ過程により受信したユニキャスト利用可能区間情報に基づいてキャリアスイッチング動作を行うこと、又は前記Ｅ−ＭＢＳサービス接続情報報告に基づいてキャリアスイッチング動作を行うことを示す情報であることを特徴とする項目１８に記載の端末。
【国際調査報告】
2013515429.tif 000022
2013515429.tif 000023